(57)【要約】【課題】フラットケーブルの可動性を損なわずに、小さなスペースで、フラットケーブルの幅方向への変位と、反転とを付与することのできるフラットケーブル誘導装置を提供すること。【解決手段】フラットケーブル２００を挿通させる後端壁３２のスリットＳ２が前端壁３１のスリットＳ１に対して所定の角度だけ傾斜して装備された第１のケーブル誘導路３０と、フラットケーブル２００を挿通させるスリットＳ１，Ｓ２が第１のケーブル誘導路３０と同様に前端壁４１及び後端壁４２に備えられて第１のケーブル誘導路３０に対して、後端壁３２のスリットＳ２の延在方向と直交する方向に離間して配置された第２のケーブル誘導路４０と、これらの二つの誘導路の後端壁３２，４２のスリットＳ２間をフラットケーブル２００が移動可能なＵ字状の誘導路５３で繋いだ第３のケーブル誘導路５０と、を備える。【選択図】図３
2015104258.tif 000002
【特許請求の範囲】
【請求項１】
フラットケーブルを挿通させる直線状のスリットが前後に対向する一対の端壁に装備されると共に、後端壁の前記スリットは前端壁の前記スリットに対して所定の角度だけ傾斜して装備された第１のケーブル誘導路と、
前記フラットケーブルを挿通させる直線状のスリットが、前後に対向する一対の端壁に装備されると共に、後端壁の前記スリットは前端壁の前記スリットに対して前記所定の角度だけ傾斜して装備され、前記第１のケーブル誘導路に対して、前記後端壁の前記スリットの延在方向と直交する方向に離間して配置された第２のケーブル誘導路と、
前記第１のケーブル誘導路の前記後端壁の前記スリットと前記第２のケーブル誘導路の前記後端壁の前記スリットとの間を前記フラットケーブルが移動可能なＵ字状の誘導路で繋いだ第３のケーブル誘導路と、
を備えたことを特徴とするフラットケーブル誘導装置。
【請求項２】
前記第１のケーブル誘導路と前記第２のケーブル誘導路とが、同一構造であることを特徴とする請求項１に記載のフラットケーブル誘導装置。
【請求項３】
前記第１のケーブル誘導路と前記第２のケーブル誘導路とは、前後の位置を揃えて配置されることを特徴とする請求項２に記載のフラットケーブル誘導装置。
【発明の詳細な説明】
【技術分野】
【０００１】
本発明は、可動部へフラットケーブルを配索する際に、フラットケーブルの可動性を損なわずに、フラットケーブルに幅方向の変位を付与するフラットケーブル誘導装置に関する。
【背景技術】
【０００２】
図６は、下記特許文献１に開示されたフラットケーブル誘導装置を示している。
このフラットケーブル誘導装置１００は、例えば、車両のスライドドアや、スライドシートなどの可動部へフラットケーブル１２０を配索する際に、フラットケーブル１２０の可動性を損なわずに、フラットケーブル１２０に幅方向の変位を付与する装置である。
【０００３】
このフラットケーブル誘導装置１００は、上部が開放された略Ｓ字状のケーブル配索路１１０を有した装置本体１０１と、装置本体１０１に組み付けられて装置本体内のフラットケーブル１２０の位置を規制するケーブル保持部材１０２と、装置本体１０１の開放部を覆うカバー１０３と、を備えている。
【０００４】
ケーブル配索路１１０は、水平方向に延出した第１の水平配索路１１１と、この第１の水平配索路１１１の先端の片側から斜め上方に延出した傾斜配索路１１２と、この傾斜配索路１１２の先端の片側から水平方向に延出した第２の水平配索路１１３と、を一体形成した構成である。各配索路１１１，１１２，１１３は、底壁と、底壁の両側に立設された両側壁とで、断面形状がコ字状の構造になっている。
【０００５】
第１の水平配索路１１１及び第２の水平配索路１１３では、フラットケーブル１２０が、その幅方向を垂直方向に向けた起立姿勢で、水平に配索される。これらの水平配索路１１１，１１３には、前述のケーブル保持部材１０２が装着されている。
【０００６】
ケーブル保持部材１０２は、フラットケーブル１２０の両面を挟んでフラットケーブル１２０を起立姿勢に保つ一対の保持部材１０２ａ，１０２ｂで構成されている。一対の保持部材１０２ａ，１０２ｂは、装置本体１０１とは別体の独立した部品で、水平配索路１１１，１１３に形成された係合用凹凸部１１１ａ，１１３ａとの係合で、各水平配索路１１１，１１３に固定されている。
【０００７】
各水平配索路１１１，１１３に固定された一対のケーブル保持部材１０２ａ，１０２ｂは、フラットケーブル１２０を、起立姿勢のまま水平方向に移動可能に支持している。
【０００８】
傾斜配索路１１２に配索されるフラットケーブル１２０は、傾斜配索路１１２の下端側及び上端側の２位置で、所定の曲げ半径で湾曲させた湾曲部１２１，１２２が形成される。傾斜配索路１１２の下端側の湾曲部１２１と、上端側の湾曲部１２２とでは、フラットケーブル１２０に互いに逆向きのひねりが加えられている。２箇所の湾曲部１２１，１２２でそれぞれ逆向きのひねりが加えられることで、第２の水平配索路１１３を挿通するフラットケーブル１２０は、第１の水平配索路１１１を挿通するフラットケーブル１２０と同様に、その幅方向を垂直方向に向けた起立姿勢に戻されている。
【０００９】
以上に説明したフラットケーブル誘導装置１００の場合、配索するフラットケーブル１２０に付与する幅寸法方向への変位量は、傾斜配索路１１２の高さ寸法分である。
【先行技術文献】
【特許文献】
【００１０】
【特許文献１】特開２００７−１０４８２８号公報
【発明の概要】
【発明が解決しようとする課題】
【００１１】
ところが、特許文献１に開示されたフラットケーブル誘導装置１００は、フラットケーブル１２０を略Ｓ字状に配索するもので、第１の水平配索路１１１と第２の水平配索路１１３とが同一方向に延びるため、装置の大きさとしては、それぞれの水平配索路の水平方向の長さＬ１，Ｌ２が加算されて、装置の水平方向への長さ寸法が長大化してしまい、大きな配索スペースが必要となるという問題があった。
【００１２】
また、特許文献１に開示されたフラットケーブル誘導装置１００は、略Ｓ字状にフラットケーブル１２０を配索するため、フラットケーブルに幅方向への変位を付与することはできるが、反転を付与することができない。そのため、反転が必要な場合では、装置の外部に導出したフラットケーブルを折り返して新たに反転部を形成しなければならず、フラットケーブルの反転が要求される配索部位には、使いにくいという問題があった。
【００１３】
また、特許文献１に開示のフラットケーブル誘導装置１００は、傾斜配索路１１２の上下２箇所でフラットケーブル１２０に湾曲部１２１，１２２を形成すると共に、各湾曲部１２１，１２２で互いに逆方向のひねりを加えるが、これらのひねりを加える湾曲部１２１，１２２では、フラットケーブル１２０の姿勢を規制する構造がない。そのため、例えば、フラットケーブル誘導装置１００から導出したフラットケーブル１２０を引っ張るなどして、フラットケーブル誘導装置１００内に挿通させているフラットケーブル１２０を可動（移動）させようとすると、それぞれの湾曲部１２１，１２２におけるフラットケーブル１２０の姿勢が崩れて、湾曲部１２１，１２２が装置本体１０１の側壁に干渉して、可動性が損なわれてしまうおそれがあった。
【００１４】
そこで、本発明の目的は、上記課題を解消することに係り、フラットケーブルの可動性を損なわずに、小さなスペースで、フラットケーブルの幅方向への変位と、反転とを付与することのできるフラットケーブル誘導装置を提供することにある。
【課題を解決するための手段】
【００１５】
本発明の前述した目的は、下記の構成により達成される。
（１）  フラットケーブルを挿通させる直線状のスリットが前後に対向する一対の端壁に装備されると共に、後端壁の前記スリットは前端壁の前記スリットに対して所定の角度だけ傾斜して装備された第１のケーブル誘導路と、
前記フラットケーブルを挿通させる直線状のスリットが、前後に対向する一対の端壁に装備されると共に、後端壁の前記スリットは前端壁の前記スリットに対して前記所定の角度だけ傾斜して装備され、前記第１のケーブル誘導路に対して、前記後端壁の前記スリットの延在方向と直交する方向に離間して配置された第２のケーブル誘導路と、
前記第１のケーブル誘導路の前記後端壁の前記スリットと前記第２のケーブル誘導路の前記後端壁の前記スリットとの間を前記フラットケーブルが移動可能なＵ字状の誘導路で繋いだ第３のケーブル誘導路と、
を備えたことを特徴とするフラットケーブル誘導装置。
【００１６】
（２）  前記第１のケーブル誘導路と前記第２のケーブル誘導路とが、同一構造であることを特徴とする上記（１）のフラットケーブル誘導装置。
【００１７】
（３）  前記第１のケーブル誘導路と前記第２のケーブル誘導路とは、前後の位置を揃えて配置されることを特徴とする上記（２）のフラットケーブル誘導装置（１）。
【００１８】
上記（１）の構成によれば、第１のケーブル誘導路にフラットケーブルを挿通することで、第１のケーブル誘導路から導出するフラットケーブルには、第１のケーブル誘導路の後端壁のスリットの傾斜角の分だけ、ひねりが付与される。
【００１９】
そして、ひねりが付与されたフラットケーブルを第３のケーブル誘導路に通すことで、第３のケーブル誘導路から導出するフラットケーブルには、第１のケーブル誘導路に導入したときのフラットケーブルの位置に対して、フラットケーブルの幅方向の変位を付与することができる。
【００２０】
具体的には、第１のケーブル誘導路及び第２のケーブル誘導路における後端壁のスリットの垂直面に対する傾斜角をθ、それぞれの後端壁のスリット間の離間距離をｄ、配索したフラットケーブルの幅方向の変位をｅ、とすると、第３のケーブル誘導路が付与する幅方向の変位ｅは、次の式（１）で表すことができる。
ｅ＝ｄtanθ      ……（１）
【００２１】
また、第３のケーブル誘導路は、Ｕ字状の誘導路であるため、通過したフラットケーブルに反転を付与する。
【００２２】
即ち、第１のケーブル誘導路と第３のケーブル誘導路とを通過したフラットケーブルには、傾斜角θのひねりと、フラットケーブルの幅方向への変位ｅと、反転とが付与されている。
【００２３】
そして、第３のケーブル誘導路を通過したフラットケーブルを第２のケーブル誘導路に挿通させると、第２のケーブル誘導路では第１のケーブル誘導路とは逆向きのひねりを付与する。したがって、第２のケーブル誘導路から導出するフラットケーブルは、第１のケーブル誘導路で付与されたひねりが相殺されて、ひねりが無く、フラットケーブルの幅方向の変位ｅと反転とが付与された状態になっている。
【００２４】
また、上記（１）の構成によれば、第１のケーブル誘導路と第２のケーブル誘導路は、略直線状にフラットケーブルを配索する部位で、誘導路の両端のスリットが、ケーブルの姿勢を規制するため、装置から導出するフラットケーブルを引っ張るなどして装置内を挿通しているフラットケーブルをケーブルの長さ方向に移動させた場合にも、ケーブルの姿勢が不安定になることがない。また、第１のケーブル誘導路と第２のケーブル誘導路との間に配置される第３のケーブル誘導路は、互いに平行な二つのスリット間でＵ字状にフラットケーブルを配索する部位で、この部位においても、ケーブルの長さ方向に移動するフラットケーブルを安定した姿勢に維持することができる。
【００２５】
したがって、装置を構成しているどの誘導路においても、フラットケーブルの移動中にフラットケーブルの姿勢が不安定になることがなく、フラットケーブルの可動性が損なわれない。
【００２６】
以上のように、上記（１）の構成によれば、フラットケーブルの可動性を損なわずに、小さなスペースで、フラットケーブルの幅方向への変位と、反転とを付与することができる。
【００２７】
上記（２）の構成によれば、第１のケーブル誘導路と前記第２のケーブル誘導路とが同一構造であるため、装置に使用する部品の種類が減り、コスト低減を図ることができる。
【００２８】
上記（３）の構成によれば、第１のケーブル誘導路と第２のケーブル誘導路とは、重複する長さ範囲内に位置して、同一の占有スペース上に収まる。したがって、装置の大型化を防止することができ、小さなスペースで、フラットケーブルを配索することができる。
【発明の効果】
【００２９】
本発明によるフラットケーブル誘導装置によれば、フラットケーブルの可動性を損なわずに、小さなスペースで、フラットケーブルの幅方向への変位と、反転とを付与することができる。
【００３０】
以上、本発明について簡潔に説明した。さらに、以下に説明される発明を実施するための形態（以下、「実施形態」という。）を添付の図面を参照して通読することにより、本発明の詳細は更に明確化されるであろう。
【図面の簡単な説明】
【００３１】
【図１】図１は本発明に係るフラットケーブル誘導装置の一実施形態の組み立て状態の斜視図である。
【図２】図２は図１のＡ矢視図である。
【図３】図３は図１に示したフラットケーブル誘導装置の第１のケーブル誘導路と第２のケーブル誘導路と第３のケーブル誘導路にフラットケーブルが配索された状態の斜視図である。
【図４】図４は図１に示したフラットケーブル誘導装置の第１のケーブル誘導路と第２のケーブル誘導路と第３のケーブル誘導路のフラットケーブルを配索する前の状態の斜視図である。
【図５】図５は図４のＢ矢視図である。
【図６】図６は従来のフラットケーブル誘導装置の分解斜視図である。
【発明を実施するための形態】
【００３２】
以下、本発明に係るフラットケーブル誘導装置の好適な実施形態について、図面を参照して詳細に説明する。
【００３３】
図１〜図５は本発明に係るフラットケーブル誘導装置の一実施形態を示したもので、図１は本発明の一実施形態のフラットケーブル誘導装置の組み立て状態の斜視図、図２は図１のＡ矢視図、図３は図１に示したフラットケーブル誘導装置の第１のケーブル誘導路と第２のケーブル誘導路と第３のケーブル誘導路にフラットケーブルが配索された状態の斜視図、図４は図１に示したフラットケーブル誘導装置の第１のケーブル誘導路と第２のケーブル誘導路と第３のケーブル誘導路のフラットケーブルを配索する前の状態の斜視図、図５は図４のＢ矢視図である。
【００３４】
この一実施形態のフラットケーブル誘導装置１は、例えば、車両のスライドドアや、スライドシートなどの可動部へフラットケーブル２００を配索する際に使用される。
【００３５】
このフラットケーブル誘導装置１は、図１に示すように、ケーブル余長巻取装置２０と、該ケーブル余長巻取装置２０から引き出されたフラットケーブル２００が挿通される第１のケーブル誘導路３０と、該第１のケーブル誘導路３０と平行に配置される第２のケーブル誘導路４０と、第１のケーブル誘導路３０と第２のケーブル誘導路４０との間を連絡して第１のケーブル誘導路３０の後端壁３２のスリットＳ２から導出するフラットケーブル２００を第２のケーブル誘導路４０の後端壁４２のスリットＳ２に導入させる第３のケーブル誘導路５０と、を備えている。
【００３６】
ケーブル余長巻取装置２０は、可動部へ配索するフラットケーブル２００の余長部を引き出し可能に巻き取る装置で、装置内に巻回されるフラットケーブル２００の巻取の中心側の端部は、図示せぬケーブル取出口から装置外部に引き出されて、固定部のケーブル接続部にコネクタ接続される。そして、該ケーブル余長巻取装置２０に巻回されたフラットケーブル２００の他端側は、ケーブル余長巻取装置２０の外周部に装備されたケーブル引出口から引き出されて、前述した第１のケーブル誘導路３０及び第３のケーブル誘導路５０及び第２のケーブル誘導路４０を順に通して、不図示の可動部のケーブル接続部にコネクタ接続される。
【００３７】
第１のケーブル誘導路３０は、ケーブル余長巻取装置２０に接続されて、ケーブル余長巻取装置２０の外周部から引き出されたフラットケーブル２００が挿通する。
【００３８】
この第１のケーブル誘導路３０は、図３及び図４に示すように、上部を開放した箱形構造の前後の端壁３１，３２に形成した直線状のスリットＳ１，Ｓ２によって、フラットケーブル２００を支持する。
【００３９】
スリットＳ１は、鉛直（垂直）方向に沿って直線状に延在するスリットで、前端壁３１に形成されている。また、スリットＳ２は、後端壁３２に形成された直線状のスリットである。後端壁３２のスリットＳ２は、前端壁３１のスリットＳ１に対して所定の角度θだけ傾斜して装備されている。すなわち、スリットＳ２は、鉛直線Ｔに対して、角度θだけ傾斜して装備されている。
【００４０】
各スリットＳ１，Ｓ２は、各端壁３１，３２の上端縁に開口している。したがって、フラットケーブル２００は、上方から各スリットＳ１，Ｓ２に割り込ませることで、各スリットＳ１，Ｓ２を挿通させた状態にすることができる。したがって、第１のケーブル誘導路３０へのフラットケーブル２００の配索作業は、極めて簡単である。
【００４１】
以上に説明した一実施形態の第１のケーブル誘導路３０では、図３に示すように、それぞれのスリットＳ１，Ｓ２に、幅方向を鉛直方向に向けた起立姿勢のフラットケーブル２００を挿通させることで、フラットケーブル２００に所定角度θのひねりを付与する。
【００４２】
第２のケーブル誘導路４０は、図３及び図４に示すように、上部を開放した箱形構造の前後の端壁４１，４２に形成した直線状のスリットＳ１，Ｓ２によって、フラットケーブル２００を支持する。
【００４３】
第２のケーブル誘導路４０におけるスリットＳ１は、鉛直（垂直）方向に沿って直線状に延在するスリットで、前端壁４１に形成されている。また、第２のケーブル誘導路４０におけるスリットＳ２は、後端壁４２に形成された直線状のスリットである。後端壁４２のスリットＳ２は、前端壁４１のスリットＳ１に対して所定の角度θだけ傾斜して装備されている。即ち、スリットＳ２は、鉛直線Ｔに対して、角度θだけ傾斜して装備されている。
【００４４】
換言すると、第２のケーブル誘導路４０では、フラットケーブル２００を挿通させる直線状のスリットＳ１，Ｓ２が、第１のケーブル誘導路３０と同様に、前後に対向する一対の端壁４１，４２に装備される。また、前端壁４１のスリットＳ１と後端壁４２のスリットＳ２とが、第１のケーブル誘導路３０と同一の位置関係に装備されている。
【００４５】
また、第２のケーブル誘導路４０において、各スリットＳ１，Ｓ２は、各端壁４１，４２の上端縁に開口している。したがって、フラットケーブル２００は、上方から各スリットＳ１，Ｓ２に割り込ませることで、各スリットＳ１，Ｓ２を挿通させた状態にすることができる。したがって、第２のケーブル誘導路４０へのフラットケーブル２００の配索作業は、第１のケーブル誘導路３０の場合と同様に、極めて簡単である。
【００４６】
また、第２のケーブル誘導路４０は、前後の位置を第１のケーブル誘導路３０の前後の位置に揃えると共に、第１のケーブル誘導路３０に対して、後端壁３２のスリットＳ２の鉛直面内の延在方向と直交する方向（図４の矢印Ｖ方向）に離間して配置されている。換言すると、第２のケーブル誘導路４０は、図５に示すように、第１のケーブル誘導路３０を、その幅方向に長さｄだけ、また、高さ方向に長さｅだけ、平行移動した位置において、第１のケーブル誘導路３０と平行に配置されている。
【００４７】
この第２のケーブル誘導路４０は、図３に示すように、その後端壁４２から前端壁４１にフラットケーブル２００が挿通することで、第１のケーブル誘導路３０とは逆方向のひねりをフラットケーブル２００に付与し、第１のケーブル誘導路３０によって付与されたひねりを戻して、ひねりの無い状態のフラットケーブル２００を導出する。
【００４８】
以上に説明した第１のケーブル誘導路３０及び第２のケーブル誘導路４０では、フラットケーブル２００の周囲を囲う各側壁がフラットケーブル２００と接触しないように、対向壁との間の間隔を設定している。したがって、それぞれの誘導路３０，４０において、挿通しているフラットケーブル２００が可動するときにも、フラットケーブル２００が誘導路３０，４０の対向する側壁と接触（干渉）することがない。
【００４９】
また、本実施形態の場合、第１のケーブル誘導路３０と第２のケーブル誘導路４０とは、同一構造である。
【００５０】
第３のケーブル誘導路５０は、図４に示すように、第１のケーブル誘導路３０の後端壁３２のスリットＳ２と第２のケーブル誘導路４０の後端壁４２のスリットＳ２との間を、フラットケーブル２００が移動可能なＵ字状の誘導路５３で繋いだ構造である。誘導路５３は、第１のケーブル誘導路３０のスリットＳ２から導出したフラットケーブル２００が、Ｕ字状に湾曲して第２のケーブル誘導路４０のスリットＳ２に導入するように、フラットケーブル２００の位置を規制する。
【００５１】
第１のケーブル誘導路３０及び第２のケーブル誘導路４０におけるスリットＳ２の傾きをθとするとき、図５に示すように、第３のケーブル誘導路５０の底部５０ａも、角度θに傾いた状態になる。
【００５２】
本実施形態の第３のケーブル誘導路５０は、第１のケーブル誘導路３０の後端壁３２のスリットＳ２から導出されたフラットケーブル２００を、反転させて、第２のケーブル誘導路４０の後端壁４２のスリットＳ２に導入する。
【００５３】
以上に説明した一実施形態のフラットケーブル誘導装置１では、第１のケーブル誘導路３０にフラットケーブル２００を挿通することで、第１のケーブル誘導路３０から導出するフラットケーブル２００には、第１のケーブル誘導路３０の後端壁３２のスリットＳ２の傾斜角θの分だけ、ひねりが付与される。
【００５４】
そして、ひねりが付与されたフラットケーブル２００を第３のケーブル誘導路５０に通すことで、第３のケーブル誘導路５０から導出するフラットケーブル２００には、第１のケーブル誘導路３０に導入したときのフラットケーブル２００の位置に対して、図５に示すように、フラットケーブル２００の幅方向の変位ｅを付与することができる。
【００５５】
具体的には、第１のケーブル誘導路３０及び第２のケーブル誘導路４０における後端壁３２，４２のスリットＳ２の垂直面に対する傾斜角をθ、それぞれの後端壁３２，４２のスリットＳ２間の離間距離をｄ、配索したフラットケーブル２００の幅方向の変位をｅ、とすると、第３のケーブル誘導路５０が付与する幅方向の変位ｅは、前述した（１）式で表すことができる。
【００５６】
また、第３のケーブル誘導路５０は、Ｕ字状の誘導路であるため、通過したフラットケーブル２００に反転を付与する。
【００５７】
即ち、第１のケーブル誘導路３０と第３のケーブル誘導路５０とを通過しているフラットケーブル２００には、傾斜角θのひねりと、フラットケーブル２００の幅方向への変位ｅと、反転とが付与されている。
【００５８】
そして、第３のケーブル誘導路５０を通過したフラットケーブル２００を第２のケーブル誘導路４０に挿通させると、第２のケーブル誘導路４０では第１のケーブル誘導路３０とは逆向きのひねりを付与する。したがって、第２のケーブル誘導路４０から導出するフラットケーブル２００は、第１のケーブル誘導路３０で付与されたひねりが相殺されて、ひねりが無く、フラットケーブル２００の幅方向の変位ｅと反転とが付与された状態になっている。
【００５９】
また、以上に説明した一実施形態のフラットケーブル誘導装置１では、第１のケーブル誘導路３０と第２のケーブル誘導路４０は、略直線状にフラットケーブル２００を配索する部位で、誘導路の両端のスリットＳ１，Ｓ２が、ケーブルの姿勢を規制するため、装置から導出するフラットケーブル２００を引っ張るなどして装置内を挿通しているフラットケーブル２００をケーブルの長さ方向に移動させた場合にも、ケーブルの姿勢が不安定になることがない。また、第１のケーブル誘導路３０と第２のケーブル誘導路４０との間に配置される第３のケーブル誘導路５０は、互いに平行な二つのスリットＳ２間でＵ字状にフラットケーブル２００を配索する部位で、この部位においても、ケーブルの長さ方向に移動するフラットケーブル２００を安定した姿勢に維持することができる。
【００６０】
したがって、装置を構成しているどの誘導路においても、フラットケーブル２００の移動中にフラットケーブル２００の姿勢が不安定になることがなく、フラットケーブル２００の可動性が損なわれない。
【００６１】
さらに、以上に説明した一実施形態のフラットケーブル誘導装置１では、全体としてのフラットケーブル２００の配索形状はＵ字状となり、第１のケーブル誘導路３０と第２のケーブル誘導路４０とは、重複する長さ範囲内に位置して、同一の占有スペース上に収まる。したがって、装置の大型化を防止することができ、小さなスペースでフラットケーブル２００を配索することができる。
【００６２】
以上のように、一実施形態のフラットケーブル誘導装置１では、フラットケーブル２００の可動性を損なわずに、小さなスペースで、フラットケーブル２００の幅方向への変位と、反転とを付与することができる。
【００６３】
また、一実施形態のフラットケーブル誘導装置１では、第１のケーブル誘導路３０と第２のケーブル誘導路４０とが同一構造であるため、装置に使用する部品の種類が減り、コスト低減を図ることができる。
【００６４】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００６５】
例えば、第１のケーブル誘導路３０と第２のケーブル誘導路４０とは、それぞれに装備するスリットＳ１，Ｓ２が共通であればよく、全体を同一の構造とする必要はない。例えば、第１のケーブル誘導路３０は、例えば隣接するケーブル余長巻取装置２０の筐体と一体に形成したり、あるいはケーブル余長巻取装置２０と結合するための係合手段を装備して、第２のケーブル誘導路４０とは異なる構造とすることも考えられる。
【００６６】
また、一実施形態では、低い位置に位置する第１のケーブル誘導路３０がケーブル余長巻取装置２０に結合された構成であったが、フラットケーブル２００の一端を接続する固定部の位置が可動部よりも高い位置にある場合などでは、第２のケーブル誘導路４０にケーブル余長巻取装置２０が結合された構成とすることも考えられる。
【００６７】
また、上記一実施形態では、フラットケーブルの余長を収容するケーブル余長巻取装置２０が第１のケーブル誘導路３０に結合された形態で装備されていたが、本発明のフラットケーブル誘導装置は、ケーブル余長巻取装置２０を装備せずに、第１のケーブル誘導路３０と第２のケーブル誘導路４０と第３のケーブル誘導路５０とだけで構成するようにしてもよい。
【００６８】
ここで、上述した本発明に係るフラットケーブル誘導装置の実施形態の特徴をそれぞれ以下［１］〜［３］に簡潔に纏めて列記する。
【００６９】
［１］  フラットケーブル（２００）を挿通させる直線状のスリット（Ｓ１，Ｓ２）が前後に対向する一対の端壁（３１，３２）に装備されると共に、後端壁（３２）の前記スリット（Ｓ２）は前端壁（３１）の前記スリット（Ｓ１）に対して所定の角度だけ傾斜して装備された第１のケーブル誘導路（３０）と、
前記フラットケーブル（２００）を挿通させる直線状のスリット（Ｓ１，Ｓ２）が、前後に対向する一対の端壁（４１，４２）に装備されると共に、後端壁（４２）の前記スリット（Ｓ１，Ｓ２）は前端壁（４１）の前記スリット（Ｓ１）に対して前記所定の角度だけ傾斜して装備され、前記第１のケーブル誘導路（３０）に対して、前記後端壁（３２）の前記スリット（Ｓ２）の延在方向と直交する方向に離間して配置された第２のケーブル誘導路（４０）と、
前記第１のケーブル誘導路（３０）の前記後端壁（３２）の前記スリット（Ｓ２）と前記第２のケーブル誘導路（４０）の前記後端壁（４２）の前記スリット（Ｓ２）との間を前記フラットケーブル（２００）が移動可能なＵ字状の誘導路（５３）で繋いだ第３のケーブル誘導路（５０）と、
を備えたことを特徴とするフラットケーブル誘導装置（１）。
【００７０】
［２］  前記第１のケーブル誘導路（３０）と前記第２のケーブル誘導路（４０）とが、同一構造であることを特徴とする上記［１］のフラットケーブル誘導装置（１）。
【００７１】
［３］  前記第１のケーブル誘導路（３０）と前記第２のケーブル誘導路（４０）とは、前後の位置を揃えて配置されることを特徴とする上記［２］のフラットケーブル誘導装置（１）。
【符号の説明】
【００７２】
１  フラットケーブル誘導装置
３０  第１のケーブル誘導路
３１  前端壁（端壁）
３２  後端壁（端壁）
４０  第２のケーブル誘導路
４１  前端壁（端壁）
４２  後端壁（端壁）
５０  第３のケーブル誘導路
２００  フラットケーブル
Ｓ１，Ｓ２  スリット
θ  傾斜角
【図１】
2015104258.tif 000003
【図２】
2015104258.tif 000004
【図３】
2015104258.tif 000005
【図４】
2015104258.tif 000006
【図５】
2015104258.tif 000007
【図６】
2015104258.tif 000008